(57)【要約】      （修正有）【課題】風向き調整をしつつ居住状態に応じてドラフトを防止又は緩和することができる風向調整具を提供する。【解決手段】空気調和機の吹出口からの吹出風の風向きを調整する風向調整具２０であり、吹出口の下方に設けられ、吹出口からの吹出風を受ける風受面２１ａを有する風受部２１と、風受面２１ａに配設された帯板状のフラップ２２とを備えている。帯板状のフラップ２２は、当該フラップ２２の長手方向が、吹出風の流れ方向とほぼ直交するように配設されている。風受面２１ａの下流側端部は、上方に凸状の曲面に形成されている。フラップ２２は、当該フラップ２２が凸状の曲面上方に位置しないように倒置された第１の位置、フラップ２２の一部が凸状の曲面上方に位置するように倒置された第２の位置、及び、立設位置の３つの位置に調節可能である。【選択図】図３
2017032165.tif 000002
【特許請求の範囲】
【請求項１】
空気調和機（１）の吹出口（５）からの吹出風の風向きを調整する風向調整具（２０）であって、
前記吹出口（５）の下方に設けられ、当該吹出口（５）からの吹出風を受ける風受面（２１ａ）を有する風受部（２１）と、
前記風受面（２１ａ）に配設された帯板状のフラップ（２２）と
を備えており、
前記帯板状のフラップ（２２）は、当該フラップ（２２）の長手方向が前記吹出風の流れ方向とほぼ直交するように配設されており、
前記風受面（２１ａ）の下流側端部は、上方に凸状の曲面に形成されており、
前記フラップ（２２）は、当該フラップ（２２）が前記凸状の曲面上方に位置しないように倒置された第１の位置、前記フラップ（２２）の一部が前記凸状の曲面上方に位置するように倒置された第２の位置、及び、立設位置の３つの位置に調節可能である、風向調整具（２０）。
【請求項２】
前記風受部（２１）は、中央に矩形状開口（２３）を有する矩形の板体からなり、
前記板体の４辺のそれぞれに沿ってフラップ（２２）が配設されている、請求項１に記載の風向調整具（２０）。
【請求項３】
第１の位置におけるフラップ（２２）の厚さ方向の少なくとも一部を収容可能な帯状の凹部（２４）が前記風受面（２１ａ）に形成されている、請求項１又は請求項２に記載の風向調整具（２０）。
【発明の詳細な説明】
【技術分野】
【０００１】
本発明は風向調整具に関する。さらに詳しくは、空気調和機から吹き出される吹出風の風向きを調整する風向調整具に関する。
【背景技術】
【０００２】
空気調和機（室内機）から吹き出される風が直接に体にあたると不快に感じることがある。また、吹出口に配設されたフラップやルーバーなどにより、当該吹出口から吹き出される風の向きや分布をある程度調整することができるが、室内に均一に風を行きわたらせることは難しい。さらに、温度感覚は人により異なるため、特に冷房時において冷風が自身の近傍に吹き出されるのを嫌う人がいる。
【０００３】
そこで、吹出口から吹き出される風の分布を調整したり、人にとって不快な空気の流れであるドラフトを防止又は緩和したりするために、空気調和機から吹き出された風の向きを変更することができる風向調整具が種々提案されている（例えば、特許文献１〜２参照）。
【０００４】
特許文献１記載のエアコン用風向調整具１０１は、図１１〜１２に示されるように、空気調和機１０２の吹出口１０３周辺のエアコン外装１０４に取り付けられる基台１０５と、基台１０５に取り付けられる支持柱１０６と、支持柱１０６によって吹出口１０３と並行に支持される短冊形状の羽板１０７と、支持柱１０６と基台１０５又は羽板１０７との間に設けられる角度調整部１０８ａ，１０８ｂとを備えている。特許文献１記載のエアコン用風向調整具１０１では、角度調整部１０８ａ，１０８ｂによって、図１２の矢印Ａで示されるように、羽板１０７を上下方向に回動させることができ、これにより、吹出口１０３から吹き出される風の向きを上下方向において変更させることができる。
【０００５】
また、特許文献２記載の空気調和機における吹出し風拡散装置２０１は、図１３に示されるように、空気調和機のパネルに固定された取付具に対して着脱可能な複数の支持体２０２と、これら支持体２０２を介して空気調和機の下方に吹出口と対向する状態で設置される風受体２０３とを備えている。この風受体２０３は環状の皿状部材からなり、空気調和機の吹出口と対向する面には複数のフィン２０４が所定間隔で立設されている。また、風受体２０３の内周側には段階的に開度を調節することができるフラップ２０５が設けられている。
【０００６】
吹出し風拡散装置２０１では、冷房時にフラップ２０５を閉じて冷風を水平方向に流し（図１３に示される状態）、暖房時にフラップ２０５を開放して温風を下方に流している。また、径方向に対して斜めになるように配置されたフィン２０４によって渦巻状の気流を形成して室内全体に気流を拡散させている。
【先行技術文献】
【特許文献】
【０００７】
【特許文献１】実用新案登録第３１８３７３６号明細書
【特許文献２】実用新案登録第３１９１２２７号明細書
【発明の概要】
【発明が解決しようとする課題】
【０００８】
しかし、特許文献１記載の風向調整具１０１は、上下方向にしか風の向きを調整することができないので、室内の気流制御には限界があった。特に、一方向吹出型又は二方向吹出型の空気調和機では、風の吹き出し方向と直交する方向への風の流れがほとんどないため、室内の気流を十分に制御することは困難である。このため、例えば冷房時において、ドラフトの発生を十分に緩和させることができなかった。
【０００９】
また、特許文献２記載の吹出し風拡散装置２０１は、フィン２０４及びフラップ２０５を併用することで調和空気をある程度拡散させることができるものの、気流の方向性が限定されるので、例えば、暖房時に空気調和機の真下にいる人は、ドラフトを感じてしまうという問題がある。
【００１０】
本発明は、このような事情に鑑みてなされたものであり、風向き調整をしつつ居住状態に応じてドラフトを防止又は緩和することができる風向調整具を提供することを目的としている。
【課題を解決するための手段】
【００１１】
（１）本発明の風向調整具は、空気調和機の吹出口からの吹出風の風向きを調整する風向調整具であって、
前記吹出口の下方に設けられ、当該吹出口からの吹出風を受ける風受面を有する風受部と、
前記風受面に配設された帯板状のフラップと
を備えており、
前記帯板状のフラップは、当該フラップの長手方向が前記吹出風の流れ方向とほぼ直交するように配設されており、
前記風受面の下流側端部は、上方に凸状の曲面に形成されており、
前記フラップは、当該フラップが前記凸状の曲面上方に位置しないように倒置された第１の位置、前記フラップの一部が前記凸状の曲面上方に位置するように倒置された第２の位置、及び、立設位置の３つの位置に調節可能である。
【００１２】
本発明の風向調整具は、３つの異なる位置に調節可能な帯板状フラップが風受面に配設されている。すなわち、本発明の風向調整具におけるフラップは、当該フラップが、風受面の下流側端部に形成された上方に凸状の曲面上方に位置しないように倒置された第１の位置、前記フラップの一部が前記凸状の曲面上方に位置するように倒置された第２の位置、及び、立設位置の３つの位置に調節可能である。これにより、吹出口からの吹出風を３つのパターンに変化させることができる。第１の位置では、フラップは風受面上で倒置されており、当該フラップの下流側に凸状の曲面が存在するので、吹出口からの吹出風はコアンダ効果によって当該曲面に沿った下向きの流れとなる。また、第２の位置では、フラップの一部が前記曲面の上方に位置して当該曲面の一部をふさぐので、吹出口からの吹出風は、フラップに沿ったほぼ水平な流れとなる。また、第３の位置では、フラップが風受面に対して立った状態であるので、吹出口からの吹出風の一部は当該フラップにより遮断される。このため、吹出口からの吹出風が直接に居住者に当たるのが緩和される。
このように、３つのパターンで吹出口からの吹出風の風向を調整することができるので、風向き調整をしつつ、居住状態、すなわち居室における居住者の居場所に応じてドラフトを効果的に防止又は緩和することができる。
【００１３】
（２）上記（１）の風向調整具において、前記風受部は、中央に矩形状開口を有する矩形の板体からなり、
前記板体の４辺のそれぞれに沿ってフラップが配設されているものとすることができる。この場合、４方吹き出しタイプの空気調和機において、４つのフラップそれぞれについて、上記３つのパターンの何れかを選択することができるので、風向き調整をしつつ居住状態に応じてドラフトを効果的に防止又は緩和することができる。
【００１４】
（３）上記（１）又は（２）の風向調整具において、第１の位置におけるフラップの厚さ方向の少なくとも一部を収容可能な帯状の凹部が前記風受面に形成されていることが好ましい。この場合、フラップの少なくとも一部を凹部内に収容することができるので、第１の位置において、フラップ上面と風受面との間の段差を小さくすることができる。これにより、気流の乱れを少なくして、所望の方向に吹出口からの吹出風を流すことができる。
【発明の効果】
【００１５】
本発明の風向調整具によれば、風向き調整をしつつ居住状態に応じてドラフトを防止又は緩和することができる。
【図面の簡単な説明】
【００１６】
【図１】本発明の風向調整具を取り付けることができる室内機の一例の斜視説明図である。
【図２】図１に示される室内機の断面説明図である。
【図３】本発明の一実施形態に係る風向調整具であって、フラップが第１の位置にある風向調整具の斜視説明図である。
【図４】図３に示される風向調整具を下方から見た斜視説明図である。
【図５】図３に示される風向調整具の部分断面説明図である。
【図６】フラップが第２の位置にある風向調整具の斜視説明図である。
【図７】図６に示される風向調整具の部分断面説明図である。
【図８】フラップが立設位置にある風向調整具の斜視説明図である。
【図９】図８に示される風向調整具の部分断面説明図である。
【図１０】本発明の他の実施形態に係る風向調整具の断面説明図である。
【図１１】従来の風向調整具の一例の斜視説明図である。
【図１２】図１１に示される風向調整具の空気調和機への取付状態説明図である。
【図１３】従来の風向調整具の他の例の斜視説明図である。
【発明を実施するための形態】
【００１７】
以下、添付図面を参照しつつ、本発明の風向調整具の実施形態を詳細に説明する。なお、本発明はこれらの例示に限定されるものではなく、特許請求の範囲によって示され、特許請求の範囲と均等の意味及び範囲内でのすべての変更が含まれることが意図される。
【００１８】
〔室内機の構成〕
図１は、本発明の風向調整具を取り付けることができる室内機の一例の斜視説明図であり、図２は、図１に示される室内機の断面説明図である。
室内機１は、天井埋め込み型の室内機（空気調和機）であり、後述する室内ファンや熱交換器等の各種要素を収容するケーシング２と、化粧パネル３とを備えている。ケーシング２は、下端面が開口された箱状体からなり、図２に示されるように、天井Ｃに形成された開口内に配設される。化粧パネル３は、四角形状の板体からなり、中央に空調室内の空気を吸い込む吸込口４が形成されている。また、調和空気を空調室内に吹出す細長い長方形状の吹出口５が、化粧パネル３の各辺に沿うように前記吸込口４の周囲に形成されている。
【００１９】
各吹出口５には、当該吹出口５から空調室内に吹き出される調和空気の風向を調整するフラップ５ａが配設されている。フラップ５ａは、吹出口５の長手方向に沿った軸回りに回動可能である。フラップ５ａの回動は、図示しないモータにより行うことができる。
【００２０】
化粧パネル３の吸込口４には、室内側から、吸込グリル６と、吸込口４から吸い込まれる室内空気中の塵埃を除去するためのフィルタ７とがこの順に配設されている。
【００２１】
ケーシング２の内部には、化粧パネル３の吸込口４から空調室内の空気を吸い込み、当該空気に熱交換を施した後に、化粧パネル３の吹出口５から調和空気を空調室内に吹き出す室内ファン８と、当該室内ファン８を囲むように配置された熱交換器９とが配設されている。室内ファン８は、モータ１０と、羽根車１１とを有している。
【００２２】
熱交換器９は、室内ファン８を囲むように曲げられて形成されたクロスフィンチューブ型の熱交換器であり、一方の端部に室外機（図示せず）からの冷媒配管が接続される。熱交換器９の下方には、当該熱交換器９で熱交換する空気中の水分が凝縮されて生じるドレンを受けるためのドレンパン１２が配設されている。ドレンパン１２には、化粧パネル３の吸込口４に対応する吸込孔１３が形成されており、当該吸込孔１３の内縁には化粧パネル３の吸込口４から吸い込まれる空気を室内ファン８の羽根車１１に案内するためのベルマウス１４が取り付けられている。
【００２３】
〔風向調整具の構成〕
図３は本発明の一実施形態に係る風向調整具２０を上方から見た斜視説明図であり、図４は、図３に示される風向調整具２０を下方から見た斜視説明図である。風向調整具２０は、図１〜２に示される室内機１の吹出口５からの吹出風の風向きを調整するものであり、風受部２１と、フラップ２２とを備えている。
【００２４】
風受部２１は、吹出口５からの吹出風を受ける部材であり、当該吹出口５の下方に設けられる。本実施形態における風受部２１は、室内機１の吹出口５の配置に対応した形状を呈している。すなわち本実施形態における風受部２１は、矩形状に配置された４つの吹出口５に対応して、中央に矩形状の開口２３を有する矩形の板体からなっている。そして、この板体の４つの辺それぞれに沿って帯板状のフラップ２２が配設されている。フラップ２２は、当該フラップ２２の長手方向が吹出口５からの吹出風の流れ方向とほぼ直交するように、吹出口５からの吹出風を受ける、風受部２１の風受面２１ａ上に配設されている。
【００２５】
フラップ２２の長手方向の側縁のうちの一方の側縁２２ｂ（一側縁）には回動軸２２ａ（図５参照）が設けられている。フラップ２２は、この回動軸２２ａの回りを回動自在である。回動軸２２ａの両端部は、後述する凹部の側壁に形成された穴内に嵌入されている。  
【００２６】
風受面２１ａには、フラップ２２の形状に対応した帯状の凹部２４が形成されている（図６〜７参照）。この凹部２４は、図５に示されるように、フラップ２２の厚さ方向の少なくとも一部を収容可能な深さを有している。
【００２７】
また、風受面２１ａの周辺部、すなわちフラップ２２の回動軸２２ａよりも外側又は下流側（吹出口５からの吹出風の下流側）端部は、上方に凸状の曲面になるように形成されている。
【００２８】
風受部２１の開口２３の縁部には、風向調整具２０を室内機１に取り付けるための取付具２５が形成されている。取付具２５は、長方形状の開口２３の対向する縁部に２つずつ所定距離だけ離間して形成されている。本実施形態では、合計４つの取付具２５が開口２３の縁部に形成されている。取付具２５の先端には、図５に示されるように、鉤状の係止部２６が形成されている。本実施形態における係止部２６は、化粧パネル３の吹出口５近傍の壁部に設けられた、円弧状断面の被係止部２７に係止される。係止部２６を被係止部２７に係止することで、風向調整具２０を簡単に室内機１に取り付けることができる。
また、開口２３の縁部には、曲線状の段部２３ａが形成されている。かかる段部２３ａを形成して、開口２３の最も内側の縁２３ｂの厚さを風受部２１の厚さよりも小さくすることで、室内機１に取り付けられた風受調整具２０を下から見上げたときに、厚肉部が見えないので、シャープな感じを与えることができる。
【００２９】
風受部２１、フラップ２２及び取付具２５の材質は、本発明において特に限定されるものではないが、例えばポリエチレン等の合成樹脂で作製することができる。
【００３０】
〔フラップの位置調節〕
本実施形態におけるフラップ２２は、回動軸２２ａの回りに回動自在であり、マニュアル（手動）によって以下に説明する３つの位置に調節可能である。
図３及び図５は、フラップ２２が第１の位置にある状態を示している。この「第１の位置」は、回動軸２２ａが設けられたフラップ２２の一側縁２２ｂと反対側の他側縁２２ｃが、吹出口５からの吹出風の上流側を向くように当該フラップ２２が倒置された状態であり、フラップ２２の回動軸２２ａよりも下流側の風受面（上方に凸状の曲面に形成されている）は、遮蔽されることなく露出した状態である。換言すれば、フラップ２２は、風受面２２ａ上において当該フラップ２２が前記凸状の曲面の上方に位置しないように倒置されている。
【００３１】
また、吹出口５は、図５においてフラップ２２の右上方に位置するので、フラップ２２の他側縁２２ｃは厳密には吹出風の上流側を向いた状態ではないが、フラップ２２を基準として概ね吹出風は、図５において右側から左側に流れるので、本明細書では、この右側も上流側に含まれるものとする。同様に、図５において左側は下流側に含まれるものとする。
【００３２】
フラップ２２が第１の位置にあるとき、吹出口５からの吹出風は、図５において矢印ａで示されるように、コアンダ効果によって風受面２１ａの曲面に沿って下方に流れる。なお、第１の位置におけるフラップ２２の下流側の側縁２２ｂと、前記凸状の曲面との間に例えば幅５０．５ｍｍ程度の平坦な面が存在しても、コアンダ効果を得ることができる。したがって、本明細書における第１の位置には、フラップ２２の下流側の側縁２２ｂと、前記凸状の曲面とが連続する場合だけでなく、当該側縁２２ｂと凸状の曲面との間に平坦な面が存在する場合も含まれる。
【００３３】
図６〜７は、フラップ２２が第２の位置にある状態を示している。この「第２の位置」は、フラップ２２の他側縁２２ｃが、吹出口５からの吹出風の下流側を向くように当該フラップ２２が倒置された状態である。他側縁２２ｃは、第１の位置のときとは１８０°反対側を向いている。この第２の状態では。フラップ２２の一部が風受面２１ａの曲面の上方に位置して当該曲面の一部を塞いでいる。
【００３４】
フラップ２２が第２の位置にあるとき、吹出口５からの吹出風は、図７において矢印ｂで示されるように、フラップ２２の上面に当たり、その後当該フラップ２２の上面に沿うようにほぼ水平方向に流れる。
【００３５】
図８〜９は、フラップ２２が立設位置にある状態を示している。この「立設位置」で、フラップ２２が風受面２１ａに対してほぼ９０°の角度をなして立った状態である。  
【００３６】
フラップ２２が立設位置にあるとき、吹出口５からの吹出風の一部は、図９において矢印ｃで示されるように、当該フラップ２２により遮断される。遮断された吹出風は、フラップ２２に沿って当該フラップ２２の長手方向に流れるか、又は、上流側に戻り、風受部２１の開口２３から下方に流れる。
【００３７】
このように、本実施形態に係る風向調整具２０では、３つのパターンで吹出口５からの吹出風の風向を調整することができるので、風向きを調整しつつ、居住状態、すなわち居室（空気調和室）における居住者の居場所に応じてドラフトを効果的に防止又は緩和することができる。
【００３８】
なお、フラップ２２の位置調節は、４つのフラップ２２それぞれについて互いに独立して行うことができる。このため、より細かく吹出口５からの吹出風の風向調整をすることができる。
【００３９】
本実施形態では、第１の位置においてフラップ２２の厚さ方向の多くの部分を凹部２４内に収容することができる。これにより、フラップ２２の上面と風受面２１ａとの間の段差を小さくして、吹出口５から吹出風があたる面をほぼ平坦な面にすることができる。その結果、気流の乱れが少なくなり、所望の方向に吹出口５からの吹出風を流すことができる。
【００４０】
〔その他の変形例〕
本発明は前述した実施形態に限定されるものではなく、特許請求の範囲内において種々の変更が可能である。
例えば、前述した実施形態では、フラップの一側縁に回動軸を設け、フラップを回動自在にしているが、このような回動軸を設けることなくフラップの位置調節を行うことができる。例えば、図１０に示されるように、風受部３１の風受面３１ａにフラップ３２を収容することができる大きさの帯状凹部３３を形成し、この凹部３３の底面３３ａに帯状の第１の溝３４及び第２の溝３５を形成する。そして、フラップ３２の一側縁に壁状凸部３２ａを形成し、この凸部３２ａを第１の溝３４内に入れて当該フラップ３２が凹部３３内に収容されるようにフラップ３２を倒置させた状態を第１の位置とする（図１０の（ａ））。また、凸部３２ａを第１の溝３４内に入れてフラップ３２の他側縁が下流側を向くように倒置させた状態を第２の位置とする（図１０の（ｂ））。さらに、フラップ３２の凸部３２ａを第２の溝３５内にいれて当該フラップ３２を風受面３１ａに対して立てた状態を立設状態とする（図１０の（ｃ））。
【００４１】
かかる実施形態においても、吹出口からの吹出風を３つのパターンに変化させることができる。第１の位置では、フラップ３２は風受面３１ａ上で倒置されており、当該フラップ３２の下流側に上方に凸状の曲面が存在するので、吹出口からの吹出風はコアンダ効果によって当該曲面に沿った下向きの流れとなる。また、第２の位置では、フラップ３２の一部が前記曲面の上方に位置して当該曲面の一部をふさぐので、吹出口からの吹出風は、フラップに沿ったほぼ水平な流れとなる。また、第３の位置では、フラップ３２が風受面３１ａに対して立った状態であるので、吹出口からの吹出風の一部は当該フラップ３２により遮断される。このため、吹出口からの吹出風が直接に居住者に当たるのが緩和される。
【００４２】
また、前述した実施形態では、４つの吹出口５から調和空気を吹き出すタイプの室内機１に風向調整具２０を取り付けているが、室内機における吹出口の数は、本発明において特に限定されるものではなく、例えば１つ又は２であってもよいし、さらには５つ以上であってもよい。
【００４３】
また、前述した実施形態では、室内機側にもフラップ５ａが配設されているが、かかるフラップ５ａを備えていない室内機にも本発明の風向調整具を適用することができる。この場合も、風向調整具のフラップの位置を調節することにより、風向き調整をしつつ居住状態に応じてドラフトを防止又は緩和することができる。
【符号の説明】
【００４４】
１  ：室内機
２  ：ケーシング
３  ：化粧パネル
４  ：吸込口
５  ：吹出口
５ａ：フラップ
６  ：吸込グリル
７  ：フィルタ
８  ：室内ファン
９  ：熱交換器
９ａ：端部
１０  ：モータ
１１  ：羽根車
１２  ：ドレンパン
１５  ：吸込孔
１６  ：吹出孔
１７  ：ベルマウス
２０  ：風向調整具
２１  ：風受部
２１ａ：風受面
２２  ：フラップ
２２ａ：回動軸
２２ｂ：一側縁
２２ｃ：他側縁
２３  ：開口
２４  ：凹部
２５  ：取付具
２６  ：係止部
２７  ：被係止部
３１  ：風受部
３１ａ：風受面
３２  ：フラップ
３２ａ：壁状凸部
３３  ：凹部
３４  ：第１の溝
３５  ：第２の溝
Ｃ  ：天井
【図１】
2017032165.tif 000003
【図２】
2017032165.tif 000004
【図３】
2017032165.tif 000005
【図４】
2017032165.tif 000006
【図５】
2017032165.tif 000007
【図６】
2017032165.tif 000008
【図７】
2017032165.tif 000009
【図８】
2017032165.tif 000010
【図９】
2017032165.tif 000011
【図１０】
2017032165.tif 000012
【図１１】
2017032165.tif 000013
【図１２】
2017032165.tif 000014
【図１３】
2017032165.tif 000015